(57)【特許請求の範囲】
【請求項１】
内部に配線ケーブルを収容する配線収容部を有し、設置面の上に他の什器と隣接して設置される配線収容什器において、
前記配線収容部の上端面に開口し、第１方向に延在して形成された第１開口部と、
該第１開口部の下方に設けられ、該第１開口部の延在方向の所定の位置で前記設置面から前記第１開口部を貫通して配置される前記他の什器の支持脚を前記第１開口部の延在方向に位置決めする規制部材と、を有することを特徴とする配線収容什器。
【請求項２】
前記規制部材には、上下方向に開口し前記支持脚を挿通可能な規制開口部が形成されていることを特徴とする請求項１に記載の配線収容什器。
【請求項３】
前記規制開口部は、第１方向と交差する第２方向に開口していることを特徴とする請求項２に記載の配線収容什器。
【請求項４】
前記規制部材には、複数の前記規制開口部が前記第１方向に沿って配列されていることを特徴とする請求項２または３のいずれか一項に記載の配線収容什器。
【請求項５】
前記規制開口部の鉛直方向下側と水平方向に離間する位置に前記配線収容部に収容される配線ケーブルが接続可能な配線ケーブル接続部が設けられていることを特徴とする請求項２または４のいずれか一項に記載の配線収容什器。
【請求項６】
前記配線収容部の上端面には、前記規制部材と上下方向に重ならない位置に前記第１開口部と連通する第２開口部が形成され、
該第２開口部を開閉可能な蓋部材が設けられていることを特徴とする請求項１乃至５のいずれか一項に記載の配線収容什器。
【発明の詳細な説明】
【技術分野】
【０００１】
本発明は、内部に配線ケーブルを収容する配線収容部を有し、床面などの設置面の上に棚や机などの他の什器と隣接して設置される配線収容什器に関する。
【背景技術】
【０００２】
内部に配線ケーブルを収容する配線収容部を有する配線収容什器として、床面などの設置面の上に机や間仕切りパネルなどの他の什器と隣接して設置されるものが知られている（例えば、特許文献１参照）。このような配線収容什器は、他の什器と隣接していることにより一体感が増して意匠性を向上させることができるとともに、限られたスペースであっても他の什器とともに効率よく配置することができる。
特許文献１に開示された配線収容什器は、上部に嵌合孔が形成されており、この嵌合孔に机の脚杆の一部や間仕切りパネルの脚杆の一部を嵌合させて、机や間仕切りパネルの荷重の一部を負担するように構成されている。
【先行技術文献】
【特許文献】
【０００３】
【特許文献１】特開２００４−１６２２７１号公報
【発明の概要】
【発明が解決しようとする課題】
【０００４】
しかしながら、配線収容什器を他の什器の荷重の一部を負担する構成とする場合、配線収容什器を他の什器の荷重の一部を負担可能な強度に製作する必要がある。このため、配線収容什器を構成する部材が大きくなり、配線収容什器全体の小型化が困難であるとともに、製作コストが高くなるという問題がある。
これに対し、他の什器の脚部を直接床面に設置すれば床面が他の什器の荷重を負担することになり、配線用什器を他の什器の荷重の一部を負担可能な強度に製作する必要はないが、配線収容什器と他の什器との一体感がなく意匠性が悪いとともに、配線収容什器と他の什器とが互いに係合していないと位置ずれしてしまう虞がある。
【０００５】
そこで、本発明は、隣接して配置される他の什器を位置ずれすることなく配置することができるとともに、配線収容什器の小型化および製作コストの削減を図ることができ、意匠性も向上させることができる配線収容什器を提供することを目的とする。
【課題を解決するための手段】
【０００６】
上記目的を達成するため、本発明に係る配線収容什器は、内部に配線ケーブルを収容する配線収容部を有し、設置面の上に他の什器と隣接して設置される配線収容什器において、前記配線収容部の上端面に開口し、第１方向に延在して形成された第１開口部と、該第１開口部の下方に設けられ、該第１開口部の延在方向の所定の位置で前記設置面から前記第１開口部を貫通して配置される前記他の什器の支持脚を前記第１開口部の延在方向に位置決めする規制部材と、を有することを特徴とする。
【０００７】
本発明では、支持脚は、第１開口部の延在方向の所定の位置で設置面から第１開口部を貫通して配置されるため、従来の配線収容什器のように配線収容什器を他の什器の支持脚を支持可能な強度とする必要がなく、配線収容什器の小型化および製作コストの削減を図ることができる。
また、什器の支持脚は、配線収容部の内部に配置された状態で設置面に立設するため、配線収容部と什器との一体感が増して意匠性を向上させることができる。
また、配線収容部には、他の什器の支持脚を第１開口部の延在方向に位置決めする規制部材が設けられていることにより、他の什器を配線収容什器に対して位置ずれすることなく配置することができる。
【０００８】
また、本発明に係る配線収容什器では、前記規制部材には、上下方向に開口し前記支持脚を挿通可能な規制開口部が形成されていることが好ましい。
このように構成されていることにより、他の什器の支持脚を規制開口部に挿通させることで、配線収容什器に対する他の什器の位置決めを容易に行うことができる。
【０００９】
また、本発明に係る配線収容什器では、前記規制開口部は、第１方向と交差する第２方向に開口していることが好ましい。
このような構成とすることにより、他の什器の支持脚を第２方向に移動させることで、規制開口部に容易に出し入れすることができる。
【００１０】
また、本発明に係る配線収容什器では、前記規制部材には、複数の前記規制開口部が前記第１方向に沿って配列されていることが好ましい。
このような構成とすることにより、選択した所望の位置の規制開口部に他の什器の支持脚を挿通させることにより、他の什器を配線収容什器に対して所望の位置に容易に配置することができる。
【００１１】
また、本発明に係る配線収容什器では、前記規制開口部の鉛直方向下側と水平方向に離間する位置に前記配線収容部に収容される配線ケーブルが接続可能な配線ケーブル接続部が設けられていることが好ましい。
このような構成とすることにより、規制開口部に挿通された他の什器の支持脚が配線ケーブル接続部や配線ケーブル接続部に接続された配線ケーブルと干渉することを防止することができる。
【００１２】
また、本発明に係る配線収容什器では、前記配線収容部の上端面には、前記規制部材と上下方向に重ならない位置に前記第１開口部と連通する第２開口部が形成され、該第２開口部を開閉可能な蓋部材が設けられていることが好ましい。
このような構成とすることにより、配線収容部の上端面に第１開口部と第２開口部とを合わせた大きさの開口部が形成されるため、より大きい支持脚を配置することができる。
また、第２開口部は規制部材と上下方向に重ならない位置に形成されていることにより、支持脚が規制部材と干渉する場合に、支持脚を第２開口部から挿通させることにより、配線収容部の内部に支持脚を配置することができる。
また、第２開口部に着脱可能な蓋部材が設けられていることにより、第２開口部を使用しないは第２開口部を蓋部材で塞ぐことができるため、配線収容部の露出を抑えることができ、意匠性を向上することができるとともに、配線収容部に異物が入り込むことを防止することができる。
【発明の効果】
【００１３】
本発明によれば、隣接して配置される他の什器を位置ずれすることなく配置することができるとともに、配線収容什器の小型化および製作コストの削減を図ることができ、意匠性も向上させることができる。
【図面の簡単な説明】
【００１４】
【図１】本発明の第１実施形態による配線収容什器の一例を示す斜視図である。
【図２】配線収容什器をＸ方向から見た図である。
【図３】配線収容什器を上方から見た図である。
【図４】図３のＡ−Ａ線断面図に棚の支持脚および机の支持脚を示した図である。
【図５】図３のＢ−Ｂ線断面図に棚の支持脚を示した図である。
【図６】連結部材を説明する図である。
【図７】第２実施形態による配線収容什器を説明する図である。
【発明を実施するための形態】
【００１５】
（第１実施形態）
以下、本発明の第１実施形態による配線収容什器について、図１乃至図６に基づいて説明する。
図１に示すように、第１実施形態では、３つの配線収容什器１，１，１が床面１１に第１方向（Ｘ方向とする）に直列に並んで配列されている。３つの配線収容什器１，１，１のうちのＸ方向一方側の端部に配置された配線収容什器１のＸ方向に直交する第２方向（Ｙ方向とする）の一方側に棚（他の什器）１２が隣接して設けられていて、配列の中央部に配置された配線収容什器１のＹ方向一方側に机（他の什器）１３が隣接して設けられている。
【００１６】
また、本実施形態では、配線収容什器１，１，１のそれぞれ上部に、仕切り板１４，１４…が立設している。
仕切り板１４，１４…は、板面がＹ方向を向くように配置され、配線収容什器１，１，１のＹ方向一方側と他方側とを間仕切るように構成されている。本実施形態では、配線収容什器１，１，１のそれぞれ上部に２枚の仕切り板１４，１４がＸ方向に並んで配置されている。
【００１７】
３つの配線収容什器１，１，１は、配置位置が異なる点を除いて、互いに同一の形状を有している。以下では１つの配線収容什器１について説明し、他の配線収容什器１，１は、説明した配線収容什器１と同様の形態であるものとする。
配線収容什器１は、Ｘ方向に延在する長尺に形成されている。図２乃至図４に示すように、配線収容什器１は、床面１１に設置されるベース部材２と、ベース部材２に支持されたメインフレーム３と、メインフレーム３のＹ方向一方側に設けられた第１配線収容部４Ａと、メインフレーム３のＹ方向他方側に設けられた第２配線収容部４Ｂと、メインフレーム３とＹ方向に間隔をあけて配置され第１配線収容部４Ａの上側に配置される第１上面パネル５Ａと、メインフレーム３とＹ方向に間隔をあけて配置され第２配線収容部４Ｂの上側に配置される第２上面パネル５Ｂと、第１上面パネル５Ａと連続し第１配線収容部４ＡのＹ方向一方側に配置される第１側面パネル６Ａと、第２上面パネル５Ｂと連続し第２配線収容部４ＢのＹ方向他方側に配置される第２側面パネル６Ｂと、第１上面パネル５Ａの下側に配置される第１規制部材７Ａと、第２上面パネル５Ｂの下側に配置される第２規制部材７Ｂと、メインフレーム３の上側に設けられて仕切り板１４を支持可能な仕切り板支持部材８と、を有している。
【００１８】
ベース部材２は、Ｙ方向に延在し床面１１と当接する床面当接部２１と、床面当接部２１から立設しメインフレーム３と連結されるメインフレーム連結部２２と、を有している。本実施形態では、床面当接部２１に高さの微調整を可能なアジャスタが設けられていて、ベース部材２に支持されたメインフレーム３の高さや水平を調整できるように構成されている。
【００１９】
図４および図５に示すように、メインフレーム３は、Ｙ方向から見てＸ方向に長いロの字形状に形成され、内部にＹ方向に貫通する開口部３１が形成されている。開口部３１は、第１配線収容部４Ａと第２配線収容部４Ｂとを連通させている。
メインフレーム３は、開口部３１の上側に配置されＸ方向に延在する上枠３２と、開口部３１の下側に配置されＸ方向に延在する下枠３３と、開口部３１のＸ方向の両側に配置され上下方向に延在する一対の縦枠３４，３４と、を有している。一対の縦枠３４，３４の一方は、上枠３２および下枠３３それぞれのＸ方向一方側の端部と連結され、他方は上枠３２および下枠３３それぞれのＸ方向他方側の端部と連結されている。
【００２０】
上枠３２には、棚１２の支持脚１２２の位置を固定する係止部材１２３を上枠３２に固定するためボルトなどの固定具１２４を固定可能な複数の上枠固定用孔部３２１，３２１…がＸ方向全体にわたって所定のピッチで形成されている。
上枠３２には、配線ケーブルが接続されるコンセント（配線ケーブル接続部）１８２ａを有する配線ケーブル接続部材１８２が固定されている。配線ケーブル接続部材１８２は、メインフレーム３の開口部３１の内部に配置され、コンセント１８２ａのみがメインフレーム３よりもＹ方向一方側に突出している。配線ケーブル接続部材１８２には、コンセント１８２ａと共に、またはコンセント１８２ａに代わってＬＡＮケーブルの挿し込み口などが設けられていてもよい。
【００２１】
下枠３３には、棚１２の支持脚１２２を係止する係止部材１２３を下枠３３固定するためのボルトなどの固定具１２４を固定可能な複数の下枠固定用孔部３３１，３３１…がＸ方向全体にわたって所定のピッチで形成されている。複数の上枠固定用孔部３２１，３２１…と複数の下枠固定用孔部３３１，３３１…とは、上下方向に重なる位置に形成されている。
また、下枠３３には、Ｘ方向の両端部近傍にそれぞれベース部材２のメインフレーム連結部２２を下枠３３に固定するためのベース部材固定具２２１，２２１…を固定可能なベース部材固定用孔部３３２，３３２…が形成されている。
【００２２】
図６に示すように、Ｘ方向に隣り合うメインフレーム３，３は、連結部材１０で連結されている。連結部材１０で連結されたメインフレーム３，３のうちＸ方向一方側のメインフレーム３を第１メインフレーム３とし、Ｘ方向他方側のメインフレーム３を第２メインフレーム３Ｂとする。第１メインフレーム３Ａと第２メインフレーム３Ｂとは、Ｘ方向に隣り合う第１メインフレーム３Ａの第１縦枠３４Ａと、第２メインフレーム３Ｂの第２縦枠３４Ｂとが連結されている。
【００２３】
連結部材１０は、第１縦枠３４Ａと第２縦枠３４Ｂとの間に上下方向に延在するように配置される筒状の棒状体１０１と、棒状体１０１に接続された棒状体接続プレート１０２と、棒状体接続プレート１０２と接続されて第１縦枠３４Ａおよび第２縦枠３４Ｂに接続される縦枠接続プレート１０３と、を有している。
【００２４】
棒状体１０１は、鋼製の部材で、下端部が第１縦枠３４Ａおよび第２縦枠３４Ｂの下端部よりもやや上側に配置され、上端部が第１縦枠３４Ａおよび第２縦枠３４Ｂの上端部よりも上方に突出している。棒状体１０１のうちの第１縦枠３４Ａおよび第２縦枠３４Ｂの上端部よりも上方の部分は、隣り合う配線収容什器１，１の上部の仕切り板１４，１４の間に配置され、さらに上側の部分はこれらの仕切り板１４，１４の上端部よりも上方に突出している。本実施形態では、図１に示すように、棒状体１０１の上端部に照明器具１６が設けられていて、棒状体１０１の内部に照明器具１６のケーブルを挿通可能に構成されている。
【００２５】
図６に戻り、棒状体接続プレート１０２は、棒状体１０１が挿通される孔部１０２ａが形成された鋼板で、板面が上下方向を向く向きで第１縦枠３４Ａと第２縦枠３４Ｂとの間に配置される。棒状体１０１と棒状体接続プレート１０２とは、棒状体１０１が棒状体接続プレート１０２の孔部１０２ａを挿通した状態で溶接されている。
本実施形態では、棒状体接続プレート１０２は、板面が正方形状に形成され、中央部に孔部１０２ａが形成されている。本実施形態では、上下に配置された２枚の棒状体接続プレート１０２，１０２に対して、Ｙ方向の両側それぞれに縦枠接続プレート１０３が接続されている。
【００２６】
縦枠接続プレート１０３は、板面がＹ方向を向く向きに配置される。縦枠接続プレート１０３は、２枚の棒状体接続プレート１０２，１０２それぞれに溶接されている。縦枠接続プレート１０３は、棒状体接続プレート１０２，１０２よりもＸ方向の大きさが大きく形成され、棒状体接続プレート１０２のＸ方向の両側それぞれに突出している。
【００２７】
２枚の棒状体接続プレート１０２，１０２のＹ方向一方側に溶接された縦枠接続プレート１０３は、第１縦枠３４Ａおよび第２縦枠３４ＢよりもＹ方向一方側に配置されている。この縦枠接続プレート１０３の２枚の棒状体接続プレート１０２，１０２よりもＸ方向一方側に突出する部分は、第１縦枠３４ＡのＹ方向一方側の面と当接し、第１縦枠３４Ａにボルトなどの固定具１０４で固定されている。一方、この縦枠接続プレート１０３の２枚の棒状体接続プレート１０２，１０２よりもＸ方向他方側に突出する部分は、第２縦枠３４ＢのＹ方向一方側の面と当接し、第２縦枠３４Ｂにボルトなどの固定具１０４で固定されている。
【００２８】
棒状体接続プレート１０２，１０２のＹ方向他方側に溶接された縦枠接続プレート１０３は、第１縦枠３４Ａおよび第２縦枠３４ＢよりもＹ方向他方側に配置されている。この縦枠接続プレート１０３の２枚の棒状体接続プレート１０２，１０２よりもＸ方向一方側に突出する部分は、第１縦枠３４ＡのＹ方向他方側の面と当接し、第１縦枠３４Ａにボルトなどの固定具１０４で固定されている。一方、この縦枠接続プレート１０３の２枚の棒状体接続プレート１０２，１０２よりもＸ方向他方側に突出する部分は、第２縦枠３４ＢのＹ方向他方側の面と当接し、第２縦枠３４Ｂにボルトなどの固定具１０４で固定されている。
ここで、縦枠接続プレート１０３のうちの第１縦枠３４Ａに接続される部分を第１接続部１０５とし、第２縦枠３４Ｂに接続される部分を第２接続部１０６とする。
【００２９】
これらの２枚の棒状体接続プレート１０２，１０２、および２枚の縦枠接続プレート１０３，１０３を連結部１０７とすると、本実施形態では、１つの棒状体１０１に対して２つの連結部１０７，１０７が上下方向に間隔をあけて設けられている。２つの連結部１０７，１０７のうちの下側に配置された連結部１０７Ａは、棒状体１０１の下端部近傍に設けられていて、第１縦枠３４Ａおよび第２縦枠３４Ｂの下部側に接続されている。２つの連結部１０７，１０７のうちの上側に配置された連結部１０７Ｂは、棒状体１０１の下端部よりもやや上側に設けられていて、第１縦枠３４Ａおよび第２縦枠３４Ｂの上部側に接続されている。
【００３０】
連結部材１０を用いて第１メインフレーム３Ａと第２メインフレーム３Ｂとを連結する方法について説明する。
第１メインフレーム３Ａの第１縦枠３４Ａと第２メインフレーム３Ｂの第２縦枠３４Ｂとの間に連結部材１０を配置する。このとき、第１縦枠３４Ａと第２縦枠３４Ｂとの間に棒状体１０１および２つの棒状体接続プレート１０２，１０２を配置し、２つの縦枠接続プレート１０３，１０３それぞれの第１接続部１０５，１０５の間に第１縦枠３４Ａを配置し、２つの縦枠接続プレート１０３，１０３それぞれの第２接続部１０６，１０５の間に第２縦枠３４Ｂと配置する。
第１接続部１０５，１０５をそれぞれ固定具１０４で第１縦枠３４Ａに固定し、第２接続部１０６，１０６をそれぞれ固定具１０４で第２縦枠３４Ｂに固定する。
このようにして第１縦枠３４Ａと第２縦枠３４Ｂとが連結部材１０を介して連結され、第１メインフレーム３Ａと第２メインフレーム３Ｂとが連結される。このとき、棒状体１０１の上部側は、第１メインフレーム３Ａおよび第２メインフレーム３Ｂよりも上方に突出している。
【００３１】
第１上面パネル５Ａは、鋼板や樹脂製の板材などで形成された長尺の平板状の部材で、板面が水平面となるように配置されている。第１上面パネル５Ａは、正位置に配置されると、Ｘ方向に延在している。
第１上面パネル５Ａは、メインフレーム３の上端部よりもやや上側に配置され、メインフレーム３のＹ方向一方側の端面３ａよりもＹ方向一方側に配置されている。このため、メインフレーム３のＹ方向一方側の端面３ａと第１上面パネル５ＡのＹ方向他方側の縁部５ａとの間には、上下方向に開口し、Ｘ方向に延びるスリット状の第１溝部（第１開口部）５１Ａが形成されている。
第１溝部５１Ａは、配線ケーブルや棚１２の支持脚１２２が挿通可能に構成されている。
【００３２】
第１上面パネル５Ａには、Ｙ方向他方側に開口に開口し第１溝部５１Ａと連通する切欠き部（第２開口部）５２，５２…がＸ方向に間隔をあけて複数形成されている。第１上面パネル５Ａには、切欠き部５２，５２…をそれぞれ開閉可能な蓋部材５３，５３…（図３参照）が設けられている。なお、図３では１つの切欠き部５２のみに蓋部材５３が設けられている。
切欠き部５２，５２…は、それぞれ机１３の支持脚１３２が挿通可能に構成されている。
第１上面パネル５Ａの上方と、床面１１とは、切欠き部５２，５２…および第１配線収容部４Ａを介して通じている。
【００３３】
第１側面パネル６Ａは、鋼板や樹脂製の板材などで形成された長尺の平板状の部材で、第１上面パネル５ＡのＹ方向一方側の縁部５ｂから下側に延びて、板面がＹ方向を向く鉛直面となるように配置されている。第１側面パネル６Ａは、正位置に配置されると、Ｘ方向に延在している。
【００３４】
第１側面パネル６Ａは、下端部に床面１１に配置される接地部材６１が取り付けられている。接地部材６１が床面１１に配置されると、第１側面パネル６Ａの下端部６ａは、床面１１よりも上側に配置される。第１側面パネル６Ａの下端部６ａと床面１１との隙間は、配線ケーブルや、配線収容什器１と隣接して配置される什器の脚部における床面１１に沿って配置される部材（不図示）などをＹ方向一方側から挿入可能に構成されている。
本実施形態では、第１側面パネル６Ａの下端部６ａに、ゴムなどの柔軟性を有する材料でできていて第１側面パネル６Ａの下端部６ａと床面１１との隙間を塞ぐ塞ぎ材６２がＸ方向全体にわたって設けられている。なお、塞ぎ材６２は、第１側面パネル６Ａの下端部６ａと床面１１との隙間をその高さ方向全体を塞ぐように設けられていてもよいし、第１側面パネル６Ａの下端部６ａと床面１１との隙間のうちの上部側のみを塞ぐように設けられていてもよい。
【００３５】
第１上面パネル５Ａおよび第１側面パネル６Ａは、一体に形成され、メインフレーム３に着脱可能に構成されている。なお、図示していないが、配線収容部４Ａ（第１上面パネル５Ａおよび第１側面パネル６Ａの内側）には、第１上面パネル５Ａの鉛直方向下側の空間における切欠き部５２，５２…の鉛直方向下側の空間を除く部分に、配線ケーブルを受ける受け皿や配線ケーブルを吊り下げる吊り部材などが適宜設けられていてもよい。
【００３６】
第１規制部材７Ａは、鋼板や樹脂製の板材などで形成された長尺の平板状の部材で、板面が水平面となるように配置されている。第１規制部材７Ａは、メインフレーム３の上枠３２に、上枠３２からＹ方向一方側に突出するように固定されている。第１規制部材７Ａは、メインフレーム３の上枠３２に固定されると、Ｘ方向に延在する向きに配置される。
第１規制部材７Ａは、メインフレーム３の上枠３２のＹ方向一方側の面と当接して固定される固定板部７１と、固定板部７１の上縁部７１ａからＹ方向一方側に延びる水平板部７２と、水平板部７２のＹ方向一方側の縁部７２ａから下側に延びる鉛直板部７３と、鉛直板部７３の下縁部７３ａからＹ方向一方側に延びる規制板部７４と、を有している。
【００３７】
規制板部７４は、第１上面パネル５Ａよりもやや下側において第１溝部５１Ａとは上下方向に重なり、第１上面パネル５Ａとは上下方向に重ならない位置に配置されている。
規制板部７４には、上下方向に貫通するとともにＹ方向一方側に開口する複数の規制開口部７５，７５…がＸ方向全体にわたって所定のピッチで形成されている。規制開口部７５，７５…は、それぞれ棚１２の支持脚１２２を挿通可能な同じ形状に形成されている。
第１上面パネル５Ａの上方と、床面１１とは、第１溝部５１Ａ、規制開口部７５，７５…および第１配線収容部４Ａを介して通じている。
【００３８】
複数の規制開口部７５，７５…と、メインフレーム３の上枠３２に形成された複数の上枠固定用孔部３２１，３２１…およびメインフレーム３下枠３３に形成された複数の下枠固定用孔部３３１，３３１…とは、Ｙ方向から見て上下方向に重ならない位置に形成されている。
また、複数の規制開口部７５，７５…と、配線ケーブル接続部材１８２のコンセント１８２ａとは、上下方向に重ならない位置に配置されている。
【００３９】
第２上面パネル５Ｂは、メインフレーム３が配置される鉛直面を中心として第１上面パネル５Ａと対称となるように形成されている。第２側面パネル６Ｂは、メインフレーム３が配置される鉛直面を中心として第１上面パネル５Ａと対称となるように形成されている。第２規制部材７Ｂは、メインフレーム３が配置される鉛直面を中心として第１規制部材７Ａと対称となるように形成されている。
第２上面パネル５Ｂ、第２側面パネル６Ｂおよび第２規制部材７Ｂを構成する部材は、対応する第１上面パネル５Ａ、第１側面パネル６Ａおよび第１規制部材７Ａを構成する部材と同じ符号で説明する。
第２上面パネル５Ｂとメインフレーム３との間には、第１上面パネル５Ａとメインフレーム３との間の第１溝部５１Ａと同様にＸ方向に延在する第２溝部（第１開口部）５１Ｂが形成されている。
【００４０】
仕切り板支持部材８は、鋼板や樹脂製の板材などで形成された長尺の部材で、メインフレーム３の上端部に沿ってＸ方向に延在する向きでメインフレーム３の上端部に固定されている。仕切り板支持部材８には、上方に開口しＸ方向に延びる仕切り板支持用溝部８１が形成されている。仕切り板支持用溝部８１は、仕切り板１４が連結される連結部材８２が内部に配置され固定されるように構成されている。
仕切り板支持部材８は、Ｙ方向一方側の縁部８ａが第１規制部材７Ａの水平板部７２のＹ方向一方側の縁部７２ａの上方近傍に、第１規制部材７Ａの規制開口部７５，７５…と上下方向に重ならないように配置され、Ｙ方向他方側の縁部８ｂが第２規制部材７Ｂの水平板部７２のＹ方向他方側の縁部７２ａの上方近傍に、第２規制部材７Ｂの規制開口部７５，７５…と上下方向に重ならないように配置されている。
【００４１】
棚１２は、物品を収容する収容部１２１と、収容部１２１を下方から支持する一対の支持脚１２２，１２２と、を有している。一対の支持脚１２２，１２２は、それぞれ棒状に形成され、Ｘ方向に互いに間隔をあけて上下方向に延在するように配置されている。図５では、一方の支持脚１２２のみ示しているが、他方の支持脚１２２についても一方の支持脚１２２とＸ方向に間隔をあけた位置に同様に配置されている。
一対の支持脚１２２，１２２は、それぞれ第１溝部５１Ａ、第１規制部材７Ａの規制開口部７５，７５…および第１配線収容部４Ａを貫通した状態で床面１１に立設している。
一対の支持脚１２２，１２２は、それぞれ係止部材１２３および固定具１２４によってメインフレーム３の上枠３２および下枠３３に固定されている。
【００４２】
係止部材１２３は、支持脚１２２のＹ方向一方側に配置され支持脚１２２が嵌合する凹部が形成されている、係止部材１２３は、支持脚１２２が嵌合した状態でボルトなどの固定具１２４によってメインフレーム３の上枠３２の上枠固定用孔部３２１および下枠３３の下枠固定用孔部３３１に固定可能に構成されている。
収容部１２１は、上記のように床面１１に立設された一対の支持脚１２２，１２２に支持されると、第１上面パネル５Ａの上方において仕切り板１４のＹ方向一方側に配置され、Ｙ方向一方側から使用者が物品を出し入れ可能となっている。
【００４３】
なお、仕切り板１４のＹ方向一方側だけでなく仕切り板１４のＹ方向他方側にも棚１２を配置することが可能である。仕切り板１４のＹ方向他方側に棚１２を配置する場合は、棚１２の一対の支持脚１２２，１２２がそれぞれ第２溝部５１Ｂ、第２規制部材の規制開口部７５，７５…および第２配線収容部４Ｂを貫通した状態で床面１１に立設し、これらの支持脚１２２，１２２に棚１２が支持される。
【００４４】
机１３は、天板１３１と、天板１３１を支持する一対の支持脚１３２，１３２と、を有している。本実施形態では、天板１３１の板面が一の方向に長い形状に形成されていて、長さ方向の両端部にそれぞれ支持脚１３２が連結されている。机１３は、一対の支持脚１３２，１３２がＹ方向に配列される向きで配線収容什器１および仕切り板１４のＹ方向一方側に配置される。
一対の支持脚１３２，１３２は、それぞれ床面１１に設置される長尺の接地部材１３３と、接地部材１３３から立設し天板１３１と連結される鉛直部材１３４と、を有している。接地部材１３３はＸ方向に延在する向きに配置されている。
【００４５】
一対の支持脚１３２，１３２のうちのＹ方向他方側に配置された一方の支持脚１３２は、第１配線収容部４Ａの下方の床面１１に接地部材１３３が配置され、鉛直部材１３４が第１配線収容部４Ａおよび切欠き部５２を貫通するように接地部材１３３から立設している。図４では、机１３の一方の支持脚１３２と棚１２の支持脚１２２とは、Ｙ方向に並んで配置されているが、実際にはＸ方向に離れた位置に配置されている。
一方の支持脚１３２，１３２の接地部材１３３は第１側面パネル６ＡよりもＹ方向一方側に突出しないように配置されている。
一方、一対の支持脚１３２，１３２のうちのＹ方向他方側に配置された他方の支持脚１３２は、第１配線収容部４ＡのＹ方向一方側に第１配線収容部４Ａと離間した位置に配置され、配線収容什器１と離間している。
一対の支持脚１３２，１３２が上記のように配置されると、天板１３１のＹ方向他方側の縁部が仕切り板１４のＹ方向一方側の面に沿って配置されている。
【００４６】
なお、仕切り板１４のＹ方向一方側だけでなく仕切り板１４のＹ方向他方側にも机１３を配置することが可能である。仕切り板１４のＹ方向他方側に机１３を配置する場合は、一対の支持脚１３２，１３２のうちのＹ方向一方側に配置された支持脚１３２が第２配線収容部４Ｂの下方の床面１１に接地部材１３３が配置され、鉛直部材１３４が第２配線収容部４Ｂおよび切欠き部５２を貫通するように接地部材１３３から立設し、一対の支持脚１３２，１３２のうちのＹ方向他方側に配置された支持脚１３２が配線収容什器１のＹ方向他方側の床面１１に立設し、これらの支持脚１３２，１３２に天板１３１が支持される。
【００４７】
次に、上述した第１実施形態による配線収容什器１の作用・効果について図面を用いて説明する。
上述した配線収容什器１では、第１上面パネル５Ａの上方と床面１１とが、第１溝部５１Ａ、第１規制部材７Ａの規制開口部７５，７５…および第１配線収容部４Ａを介して通じている。これにより、第１配線収容部４Ａ、第１規制部材７Ａの規制開口部７５，７５…および第１溝部５１Ａを貫通するように第１配線収容部４Ａの下側の床面１１に棚１２の一対の支持脚１２２，１２２をそれぞれ立設させることができる。
これにより、棚１２の一対の支持脚１２２，１２２がそれぞれ配線収容什器１ではなく設置面に支持されるため、従来のように配線収容什器を棚の支持脚１２２を支持可能な強度とする必要がなく、配線収容什器１の小型化および製作コストの削減を図ることができる。
【００４８】
また、棚１２の一対の支持脚１２２がそれぞれ、第１溝部５１および第１配線収容部４Ａを貫通して第１配線収容部４Ａの内部に配置されるため、第１配線収容部４Ａと棚１２との一体感が増して隣接する第１配線収容部４Ａおよび棚１２の意匠性を向上させることができる。
また、棚１２の一対の支持脚１２２，１２２は、それぞれ第１規制部材７Ａの規制開口部７５，７５に配置されることにより、Ｘ方向の移動が規制されるため、棚１２を所望の位置に安定して配置することができる。
また、第１規制部材７Ａには、複数の規制開口部７５，７５…が所定のピッチで形成されていることにより、棚１２の支持脚１２２を配置する規制開口部７５，７５を選択することで棚１２の位置決めを容易に行うことができる。
【００４９】
また、規制開口部７５，７５…は、Ｙ方向に開口する切欠き状に形成されていることにより、棚１２の支持脚１２２をＹ方向に移動させることで規制開口部７５，７５…に容易に着脱することができる。
また、規制開口部７５，７５…と上下方向に重ならない位置に配線ケーブル接続部材１８２のコンセント１８２ａが設けられていることにより、コンセント１８２ａやコンセント１８２ａに接続された配線ケーブルが棚１２の支持脚１２２と干渉することを防止できる。
【００５０】
また、第１上面パネル５Ａには、第１溝部５１ＡのＹ方向一方側に第１溝部５１Ａと連通する切欠き部５２が形成されていて、切欠き部５２に着脱可能な蓋部材５３が設けられていることにより、机１３の支持脚１３２のように第１溝部５１Ａに入らない形状の支持脚であっても、切欠き部５２または第１溝部５１Ａと切欠き部５２とを合わせた開口部を介して第１配線収容部４Ａの下側の床面１１に立設させることができる。
また、切欠き部５２に着脱可能な蓋部材５３が設けられていることにより、切欠き部５２を使用しないは切欠き部５２を蓋部材５３で塞ぐことができるため、第１配線収容部４Ａの露出を抑えることができる。
【００５１】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図７に示すように、第２実施形態による配線収容什器１Ｂは、第１実施形態のような第１規制部材７Ａおよび第２規制部材７Ｂが設けられておらず、棚１２の支持脚１２２を挿通可能な孔部９１が形成され、上枠３２に着脱可能な支持脚ホルダ（規制部材）９が設けられている。上枠３２のＹ方向の両側には、支持脚ホルダ９を固定するためのボルトなどの固定具９２を着脱可能な支持脚ホルダ固定用孔部３３，３３…がＸ方向全体にわたって所定のピッチで形成されている。
【００５２】
支持脚ホルダ９は、所望の位置に固定具９２で上枠３２のＹ方向一方側に固定されると、孔部９１が第１溝部５１Ａと上下方向に重なる位置に配置される。また、支持脚ホルダ９は、固定具９２で上枠３２のＹ方向他方側に固定されると、孔部９１が第２溝部５１Ｂと上下方向に重なる位置に配置される。
このため、支持脚ホルダ９の孔部９１に挿通された支持脚１２２は、床面１１に立設するとともに、第１配線収容部４Ａおよび第１溝部５１Ａを貫通し、上部側が第１上面パネル５Ａよりも上側に突出している。
【００５３】
第２実施形態による配線収容什器１Ｂは、第１実施形態のような第１規制部材７Ａおよび第２規制部材７Ｂが設けられていなくても、支持脚１２２を床面１１に立設させることができるため、第１実施形態と同様の効果を奏する。
また、支持脚ホルダ９を上枠３２の所望の位置に固定できるため、支持脚１２２の位置に合せて支持脚ホルダ９の位置を調整することにより所望の位置に棚１２を設置することができる。
【００５４】
以上、本発明による配線収容部の実施形態について説明したが、本発明は上記の実施形態に限定されるものではなく、その趣旨を逸脱しない範囲で適宜変更可能である。
例えば、上記の実施形態では、メインフレーム３のＹ方向の両側に配線収容部４Ａ，４Ｂが設けられているが、Ｙ方向のいずれか一方側のみに配線収容部が設けられていて、いずれか一方側のみにおいて配線収容部を貫通するように棚１２の支持脚１２２や机１３の支持脚１３２が床面１１に立設されてもよい。
【００５５】
また、上記の実施形態では、３つの配線収容什器１，１，１が直列に配列されているが、配線収容什器１が単体で配置されていてもよいし、２つや４つ以上配列されていてもよい。
また、上記の実施形態では配線収容什器１の上部に仕切り板１４，１４が設けられているが、設けられていなくてもよい。
また、上記の実施形態では、配線収容什器１と隣接して棚１３や机１４が設けられているが、棚１３や机１４以外の什器が設けられて、その什器の支持脚が配線収容部４Ａ，４Ｂを貫通するように配線収容部の４Ａ，４Ｂ下側の床面１１に立設していてもよい。また、机１３や棚１４の形態は適宜設定されてよい。
【００５６】
また、上記の第１実施形態では、第１規制部材７Ａおよび第２規制部材７Ｂが設けられていて、第２実施形態では支持脚ホルダ９が設けられているが、規制部材７Ａ，７Ｂや支持脚ホルダ９以外であっても什器の支持脚の移動を規制できる部材が設けられていてもよい。
また、上記の第１実施形態では、規制開口部７５は、第１規制部材７Ａおよび第２規制部材７ＢにＹ方向に開口する切欠き状に形成されているが、Ｙ方向には開口せず上下方向に貫通する孔部状に形成されていてもよい。
【００５７】
また、上記の実施形態では、第１規制部材７Ａおよび第２規制部材７Ｂには複数の規制開口部７５，７５…が所定のピッチで形成されているが、規制開口部７５，７５…の数や形成される位置は適宜設定されてよい。
また、上記の実施形態では、複数の規制開口部７５，７５…と、配線ケーブル接続部材１８２のコンセント１８２ａ部分とは、上下方向に重ならない位置に配置されているが重なる位置に配置されていてもよい。
また、上記の実施形態では、第１上面パネル５Ａおよび第２上面パネル５Ｂに切欠き部５２が形成されているが、形成されていなくてもよい。また、切欠き部５２には蓋部材５３が設けられているが設けられていなくてもよい。
また、第１上面パネル５Ａおよび第２上面パネル５Ｂに複数の蓋部材５３，５３によって閉塞可能な開口部（第２開口部）がＸ方向全体にわたるように形成されていてもよい。
【符号の説明】
【００５８】
１，１Ｂ  配線収容什器
４Ａ  第１配線収容部
４Ｂ  第２配線収容部
７Ａ  第１規制部材（規制部材）
７Ｂ  第２規制部材（規制部材）
９  支持脚ホルダ（規制部材）
１１  床面（設置面）
１２  棚（他の什器）
１３  机（他の什器）
５１Ａ  第１溝部（第１開口部）
５１Ｂ  第２溝部（第１開口部）
５２  切欠き部（第２開口部）
５３  蓋部材
１８２  配線ケーブル接続部材
１８２ａ  コンセント（配線ケーブル接続部）
【図１】
0006666204.tif 000002
【図２】
0006666204.tif 000003
【図３】
0006666204.tif 000004
【図４】
0006666204.tif 000005
【図５】
0006666204.tif 000006
【図６】
0006666204.tif 000007
【図７】
0006666204.tif 000008